(57)【要約】【課題】間欠受信制御が適用されている場合に、周辺セルの測定及びハンドオーバを適切に行う。【解決手段】本発明に係る移動局ＵＥは、測定部１３と、移動局ＵＥが、測定部１３による測定結果、及び、取得された判定用パラメータに基づいて、測定結果を通知すべきか否かについて判定するように構成されている判定部１４とを具備し、移動局ＵＥが、間欠受信状態である場合、測定部１３は、所定条件が満たされている場合には、受信区間が終了した後も、測定を継続し、判定部１４によって測定結果を送信すべきであると判定される前に、所定条件が満たされなくなった場合には、測定を停止するように構成されている。【選択図】図６
2010050579.tif 000002
【特許請求の範囲】
【請求項１】
無線基地局と通信する移動局であって、
前記無線基地局から、判定用パラメータを取得するように構成されているパラメータ取得部と、
前記移動局のサービングセル及び周辺セルにおける無線品質を測定するように構成されている測定部と、
前記移動局が、前記測定部による測定結果、及び、前記パラメータ取得部によって取得された前記判定用パラメータに基づいて、前記測定結果を通知すべきか否かについて判定するように構成されている判定部と、
前記判定部によって前記測定結果を送信すべきであると判定された場合、該測定結果を前記無線基地局に対して通知するように構成されている通知部とを具備し、
前記移動局が、間欠受信状態である場合、前記測定部は、所定条件が満たされている場合には、受信区間が終了した後も、前記測定を継続し、前記判定部によって前記測定結果を送信すべきであると判定される前に、該所定条件が満たされなくなった場合には、該測定を停止するように構成されていることを特徴とする移動局。
【請求項２】
前記判定部は、所定期間以上継続して前記所定条件が満たされている場合に、前記測定結果を通知すべきであると判定するように構成されており、
前記判定用パラメータには、前記所定期間を示す第１パラメータが含まれていることを特徴とする請求項１に記載の移動局。
【請求項３】
前記判定部は、所定期間以上継続して前記所定条件が満たされている場合に、前記測定結果を通知すべきであると判定するように構成されており、
前記判定用パラメータには、前記所定条件を規定する第２パラメータが含まれていることを特徴とする請求項１に記載の移動局。
【請求項４】
無線基地局と移動局との間で通信する移動通信方法であって、
前記無線基地局が、前記移動局に対して、判定用パラメータを通知する工程Ａと、
前記移動局が、該移動局のサービングセル及び周辺セルにおける無線品質を測定する工程Ｂと、
前記移動局が、前記測定結果、及び、取得された前記判定用パラメータに基づいて、前記測定結果を通知すべきか否かについて判定する工程Ｃと、
前記移動局が、前記測定結果を送信すべきであると判定された場合、該測定結果を前記無線基地局に対して通知する工程Ｄと、
前記無線基地局が、前記移動局によって通知された該移動局のサービングセル及び周辺セルにおける無線品質の測定結果に基づいて、該移動局がハンドオーバすべきであるか否かについて判定する工程Ｅとを有し、
前記工程Ｂにおいて、前記移動局は、間欠受信状態である場合、所定条件が満たされている場合には、受信区間が終了した後も、前記測定を継続し、前記測定結果を送信すべきであると判定される前に、該所定条件が満たされなくなった場合には、該測定を停止することを特徴とする移動通信方法。
【請求項５】
無線基地局と通信する移動局であって、
前記無線基地局から、判定用パラメータを取得するように構成されているパラメータ取得部と、
前記移動局のサービングセル及び周辺セルにおける無線品質を測定するように構成されている測定部と、
前記移動局が、前記測定部による測定結果、及び、前記パラメータ取得部によって取得された前記判定用パラメータに基づいて、前記測定結果を通知すべきか否かについて判定するように構成されている判定部と、
前記判定部によって前記測定結果を送信すべきであると判定された場合、該測定結果を前記無線基地局に対して通知するように構成されている通知部とを具備し、
前記移動局が、間欠受信状態である場合、前記判定部は、間欠受信周期及び前記判定用パラメータに基づいて算出される数の連続する受信区間において、前記所定条件が満たされている場合に、前記測定結果を通知すべきであると判定するように構成されていることを特徴とする移動局。
【請求項６】
無線基地局と移動局との間で通信する移動通信方法であって、
前記無線基地局が、前記移動局に対して、判定用パラメータを通知する工程Ａと、
前記移動局が、該移動局のサービングセル及び周辺セルにおける無線品質を測定する工程Ｂと、
前記移動局が、前記測定結果、及び、取得された前記判定用パラメータに基づいて、前記測定結果を通知すべきか否かについて判定する工程Ｃと、
前記移動局が、前記測定結果を送信すべきであると判定された場合、該測定結果を前記無線基地局に対して通知する工程Ｄと、
前記無線基地局が、前記移動局によって通知された該移動局のサービングセル及び周辺セルにおける無線品質の測定結果に基づいて、該移動局がハンドオーバすべきであるか否かについて判定する工程Ｅとを有し、
前記工程Ｃにおいて、前記移動局は、間欠受信状態である場合、間欠受信周期及び前記判定用パラメータに基づいて算出される数の連続する受信区間において、前記所定条件が満たされている場合に、前記測定結果を通知すべきであると判定することを特徴とする移動通信方法。
【発明の詳細な説明】
【技術分野】
【０００１】
本発明は、移動局及び移動通信方法に関する。
【背景技術】
【０００２】
複数のセルを具備する移動通信システムでは、移動局ＵＥ（Ｕｓｅｒ  Ｅｑｕｉｐｍｅｎｔ：ユーザ装置）は、１つのセルから他のセルに移動するときに、セルを切り替えて通信を継続するように構成されている。かかるセルの切り替えを「ハンドオーバ」という。
【０００３】
一般的に、移動通信システムでは、移動局ＵＥが、隣接セルに移動し、かかる移動局ＵＥにおいて、隣接セルからの信号の受信電力が、サービングセル（Ｓｅｒｖｉｎｇ  Ｃｅｌｌ）からの信号の受信電力よりも強くなった場合に、当該移動局ＵＥは、隣接セルにハンドオーバを行うように構成されている。
【０００４】
なお、上述の隣接セルからの信号の受信電力又はサービングセルからの信号の受信電力は、例えば、隣接セル又はサービングセルから送信される下りリンクの参照信号（Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）である（ＲＳＲＰの定義については、非特許文献２を参照のこと）。
【０００５】
図１１及び図１２を参照して、かかるハンドオーバ手順の一例について、具体的に説明する。
【０００６】
図１１に示すように、ステップＳ１において、移動局ＵＥは、隣接セルからの信号の受信電力を測定する。
【０００７】
ステップＳ２において、移動局ＵＥは、隣接セルからの信号の受信電力が、以下の（式１）を満たすか否かについて判定する。
【０００８】
隣接セルからの信号の受信電力  ＋  ヒステリシス  ＞  サービングセルからの信号の受信電力  …  （式１）
【０００９】
かかる（式１）が満たされていると判定された場合、ステップＳ２において、移動局ＵＥは、上述の測定結果を報告するためのイベントＡ３を、ネットワークに対して通知する。
【００１０】
具体的には、移動局ＵＥは、図１２に示すように、サービングセル（セルＡ）及び監視対象である周辺セル（セルＢ）からの信号の受信電力を測定し、予め通知されている「ヒステリシス［ｄＢ］」及び「ＴＴＴ（Ｔｉｍｅ  Ｔｏ  Ｔｒｉｇｇｅｒ）［ｍｓ］」を用いて、上述の測定結果を通知するか否かについて判定する。
【００１１】
つまり、図１２において、所定期間「ＴＴＴ」以上、セルＢからの信号の受信電力（無線品質）が、「ヒステリシス」以上、セルＡからの信号の受信電力（無線品質）よりも上回っている状態が継続している場合、移動局ＵＥは、上述の測定結果（Ｍｅａｓｕｒｅｍｅｎｔ  Ｒｅｐｏｒｔ）を通知するべきであると判定する。
【００１２】
ここで、上述の「ＴＴＴ」や「ヒステリシス」は、上述の判定の誤りを防ぐための保護機能として定義される。例えば、「ＴＴＴ」により、瞬時の測定結果ではなく、所定期間の測定結果に基づいて、測定結果を通知するべきか否かの判定が行われるため、上述の判定の誤りを防ぐことが可能となる。
【００１３】
なお、上述の「ＴＴＴ」の値を小さくしすぎると、上述の判定の誤りを防ぐという効果が小さくなるが、測定結果を通知すると判定するまでの遅延を小さくすることが可能となる。
【００１４】
一方で、かかる「ＴＴＴ」の値を大きくしすぎると、上述の判定の誤りを防ぐ効果は大きくなるが、逆に、測定結果を通知すると判定するまでに遅延が生じることになる。
【００１５】
言い換えれば、上述の「ＴＴＴ」の値には、上述の判定の誤りを防ぐという効果及び測定結果を通知し、その結果、起こり得るハンドオーバにおける遅延の両方を考慮した最適値が設定される。
【００１６】
ここで、信号の受信電力（無線品質）Ｆｎとしては、以下の（式２）及び（式３）によって算出された値が用いられるものとする。具体的には、移動局ＵＥにおいて、上位レイヤが、物理レイヤによる測定値に対して、（式２）に示すフィルタリング処理（Ｌ３  Ｆｉｌｔｅｒｉｎｇ）を行うように構成されている。
【００１７】
Ｆｎ  ＝  （１−ａ）・Ｆｎ−１  ＋  ａ・Ｍｎ  …  （式２）
ａ  ＝  １／２（ｋ/４）  …  （式３）
【００１８】
なお、（式３）における「ｋ」の値は、「ヒステリシス」や「ＴＴＴ」と同様に、無線基地局から移動局ＵＥに対して事前に通知されているものとする。また、「ヒステリシス」は、セル境界でサービングセルから隣接セルへのハンドオーバが頻繁に生じないために設けられる値であり、正の値でもよく、負の値でもよい。
【００１９】
また、ステップＳ３において、ネットワークは、イベントＡ３の通知を受信すると、かかる移動局ＵＥが、受信したイベントＡ３に係るセルに対してハンドオーバすべきであることを決定する。
【００２０】
また、ＬＴＥ（Ｌｏｎｇ  Ｔｅｒｍ  Ｅｖｏｌｕｔｉｏｎ）方式の移動通信システムでは、間欠受信（ＤＲＸ：Ｄｉｓｃｏｎｔｉｎｕｏｕｓ  Ｒｅｃｅｐｔｉｏｎ）制御が適用されている。
【００２１】
かかる間欠受信制御は、無線基地局ｅＮＢと移動局ＵＥとが接続中であり、かつ、通信すべきデータが存在しない場合に適用され、間欠受信状態にある移動局ＵＥは、周期的に、すなわち、間欠的に、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を介して送信される下り制御信号を受信するように構成されている。
【００２２】
かかる場合、移動局ＵＥは、全てのタイミングではなく、間欠的に、物理下りリンク制御チャネルＰＤＣＣＨを介して送信される下り制御信号を受信すればよいため、バッテリーの消費電力を低減することが可能となる。
【００２３】
より具体的には、移動局ＵＥは、図１３に示すように、ＤＲＸ周期（図１３の例では、１２８０ｍｓ）毎に設定される受信区間（図１３の例では、５ｍｓ）においてのみ、物理下りリンク制御チャネルＰＤＣＣＨを介して送信される下り制御信号を受信し、それ以外の区間においては送受信機をＯＦＦとするように構成されている。その結果、移動局ＵＥにおいて、バッテリーの消費電力を低減することが可能となる。
【００２４】
なお、上述したように、ＬＴＥ方式の移動通信システムでは、通信すべきデータが存在するか否かに基づいて、各移動局ＵＥの状態を、間欠受信状態とすべきか或いは非間欠受信状態とすべきかについて制御するため、各移動局ＵＥが間欠受信状態であるか否かに関わらず、上述したハンドオーバは行われるように構成されている。
【非特許文献１】３ＧＰＰ  ＴＳ３６.３００  Ｖ８.５.０
【非特許文献２】３ＧＰＰ  ＴＳ３６.２１４、Ｖ８.３.０
【発明の開示】
【発明が解決しようとする課題】
【００２５】
上述したように、ＬＴＥ方式の移動通信システムにおいては、無線基地局ｅＮＢと移動局ＵＥとが接続中である場合に、間欠受信制御が適用される。すなわち、各移動局ＵＥの状態として、通信すべきデータの有無に応じて、間欠受信状態及び非間欠受信状態の２種類の状態が存在する。
【００２６】
ここで、間欠受信状態である移動局ＵＥは、間欠受信制御によるバッテリーセービング効果を維持するため、一般に、間欠受信制御における受信区間においてのみ、周辺セルの測定を行うように構成されている。
【００２７】
例えば、非間欠受信状態の移動局ＵＥが、４０ｍｓごとに周辺セルの測定を行うように構成されている場合、最適な「ＴＴＴ」の値は、「６４０ｍｓ」であるものとする。
【００２８】
しかしながら、「ＤＲＸ周期」として「１２８０ｍｓ」が設定されている場合には、間欠受信状態の移動局ＵＥは、１２８０ｍｓごとに周辺セルの測定を行うように構成されているため、上述の「６４０ｍｓ」という「ＴＴＴ」の値は意味を持たない値となる。
【００２９】
すなわち、移動局ＵＥが間欠受信状態である場合には、上述の判定の誤りを防ぐという効果及び測定結果を通知する判定、つまりはハンドオーバにおける遅延の両方を考慮した「ＴＴＴ」の値に基づくハンドオーバを行うことが困難となる。
【００３０】
そこで、本発明は、上述の課題に鑑みてなされたものであり、間欠受信制御が適用されている場合に、周辺セルの測定及びハンドオーバを適切に行うことを可能とする移動局及び移動通信方法を提供することを目的とする。
【課題を解決するための手段】
【００３１】
本発明の第１の特徴は、無線基地局と通信する移動局であって、前記無線基地局から、判定用パラメータを取得するように構成されているパラメータ取得部と、前記移動局のサービングセル及び周辺セルにおける無線品質を測定するように構成されている測定部と、前記移動局が、前記測定部による測定結果、及び、前記パラメータ取得部によって取得された前記判定用パラメータに基づいて、前記測定結果を通知すべきか否かについて判定するように構成されている判定部と、前記判定部によって前記測定結果を送信すべきであると判定された場合、該測定結果を前記無線基地局に対して通知するように構成されている通知部とを具備し、前記移動局が、間欠受信状態である場合、前記測定部は、所定条件が満たされている場合には、受信区間が終了した後も、前記測定を継続し、前記判定部によって前記測定結果を送信すべきであると判定される前に、該所定条件が満たされなくなった場合には、該測定を停止するように構成されていることを要旨とする。
【００３２】
本発明の第１の特徴において、前記判定部は、所定期間以上継続して前記所定条件が満たされている場合に、前記測定結果を通知すべきであると判定するように構成されており、前記判定用パラメータには、前記所定期間を示す第１パラメータが含まれていてもよい。
【００３３】
本発明の第１の特徴において、前記判定部は、所定期間以上継続して前記所定条件が満たされている場合に、前記測定結果を通知すべきであると判定するように構成されており、前記判定用パラメータには、前記所定条件を規定する第２パラメータが含まれていてもよい。
【００３４】
本発明の第２の特徴は、無線基地局と移動局との間で通信する移動通信方法であって、前記無線基地局が、前記移動局に対して、判定用パラメータを通知する工程Ａと、前記移動局が、該移動局のサービングセル及び周辺セルにおける無線品質を測定する工程Ｂと、前記移動局が、前記測定結果、及び、取得された前記判定用パラメータに基づいて、前記測定結果を通知すべきか否かについて判定する工程Ｃと、前記移動局が、前記測定結果を送信すべきであると判定された場合、該測定結果を前記無線基地局に対して通知する工程Ｄと、前記無線基地局が、前記移動局によって通知された該移動局のサービングセル及び周辺セルにおける無線品質の測定結果に基づいて、該移動局がハンドオーバすべきであるか否かについて判定する工程Ｅとを有し、前記工程Ｂにおいて、前記移動局は、間欠受信状態である場合、所定条件が満たされている場合には、受信区間が終了した後も、前記測定を継続し、前記測定結果を送信すべきであると判定される前に、該所定条件が満たされなくなった場合には、該測定を停止することを要旨とする。
【００３５】
本発明の第３の特徴は、無線基地局と通信する移動局であって、前記無線基地局から、判定用パラメータを取得するように構成されているパラメータ取得部と、前記移動局のサービングセル及び周辺セルにおける無線品質を測定するように構成されている測定部と、前記移動局が、前記測定部による測定結果、及び、前記パラメータ取得部によって取得された前記判定用パラメータに基づいて、前記測定結果を通知すべきか否かについて判定するように構成されている判定部と、前記判定部によって前記測定結果を送信すべきであると判定された場合、該測定結果を前記無線基地局に対して通知するように構成されている通知部とを具備し、前記移動局が、間欠受信状態である場合、前記判定部は、間欠受信周期及び前記判定用パラメータに基づいて算出される数の連続する受信区間において、前記所定条件が満たされている場合に、前記測定結果を通知すべきであると判定するように構成されていることを要旨とする。
【００３６】
本発明の第４の特徴は、無線基地局と移動局との間で通信する移動通信方法であって、前記無線基地局が、前記移動局に対して、判定用パラメータを通知する工程Ａと、前記移動局が、該移動局のサービングセル及び周辺セルにおける無線品質を測定する工程Ｂと、前記移動局が、前記測定結果、及び、取得された前記判定用パラメータに基づいて、前記測定結果を通知すべきか否かについて判定する工程Ｃと、前記移動局が、前記測定結果を送信すべきであると判定された場合、該測定結果を前記無線基地局に対して通知する工程Ｄと、前記無線基地局が、前記移動局によって通知された該移動局のサービングセル及び周辺セルにおける無線品質の測定結果に基づいて、該移動局がハンドオーバすべきであるか否かについて判定する工程Ｅとを有し、前記工程Ｃにおいて、前記移動局は、間欠受信状態である場合、間欠受信周期及び前記判定用パラメータに基づいて算出される数の連続する受信区間において、前記所定条件が満たされている場合に、前記測定結果を通知すべきであると判定することを要旨とする。
【発明の効果】
【００３７】
以上説明したように、本発明によれば、間欠受信制御が適用されている場合に、周辺セルの測定及びハンドオーバを適切に行うことを可能とする移動局及び移動通信方法を提供することができる。
【発明を実施するための最良の形態】
【００３８】
（本発明の第１の実施形態に係る移動通信システムの構成）
図１乃至図５を参照して、本発明の第１の実施形態に係る移動通信システムの構成について説明する。
【００３９】
図１に示すように、本実施形態に係る移動通信システムは、ＬＴＥ方式の移動通信システムである。かかる移動通信システムでは、無線アクセス方式として、下りリンクについては「ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式」が適用され、上りリンクについては「ＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式」が適用されることが検討されている。
【００４０】
ＯＦＤＭ方式は、特定の周波数帯域を複数の狭い周波数帯域（サブキャリア）に分割し、各周波数帯域上にデータを載せて伝送を行う方式である。かかるＯＦＤＭ方式によれば、サブキャリアを周波数軸上で一部重なりあいながらも互いに干渉することなく密に並べることで、高速伝送を実現し、周波数の利用効率を上げることができる。
【００４１】
また、ＳＣ-ＦＤＭＡ方式は、特定の周波数帯域を分割し、複数の移動局ＵＥの間で異なる周波数帯域を用いて伝送することで、複数の移動局ＵＥの間における干渉を低減することができる伝送方式である。ＳＣ-ＦＤＭＡ方式によれば、送信電力の変動が小さくなる特徴を有することから、移動局ＵＥの低消費電力化及び広いカバレッジを実現することができる。
【００４２】
また、本実施形態に係る移動通信システムでは、無線基地局ｅＮＢが、物理下り制御チャネルＰＤＣＣＨを介して下り制御信号を送信し、物理下り共有データチャネルＰＤＳＣＨ（Ｐｈｙｓｉｃａｌ  Ｄｏｗｎｌｉｎｋ  Ｓｈａｒｅｄ  Ｃｈａｎｎｅｌ）を介して下りデータ信号を送信するように構成されている。
【００４３】
一方、本実施形態に係る移動通信システムでは、移動局ＵＥは、物理上り共有データチャネルＰＵＳＣＨ（Ｐｈｙｓｉｃａｌ  Ｕｐｌｉｎｋ  Ｓｈａｒｅｄ  Ｃｈａｎｎｅｌ）を介して上りデータ信号を送信するように構成されている。
【００４４】
図２に示すように、移動局ＵＥは、状態管理部１１と、パラメータ取得部１２と、測定部１３と、判定部１４と、通知部１５とを具備している。
【００４５】
状態管理部１１は、移動局ＵＥが間欠受信状態であるか否かについて管理するように構成されている。
【００４６】
パラメータ取得部１２は、無線基地局ｅＮＢから、判定用パラメータを取得するように構成されている。ここで、判定用パラメータは、測定部１３による測定結果について通知すべきか否かについて判定する際に、判定部１４によって使用されるパラメータである。
【００４７】
測定部１３は、移動局ＵＥのサービングセル及び周辺セルにおける無線品質を測定するように構成されている。
【００４８】
例えば、測定部１３は、移動局ＵＥのサービングセル及び周辺セルにおける無線品質として、移動局ＵＥのサービングセル及び周辺セルからの信号（例えば、参照信号（ＲＳ：Ｒｅｆｅｒｅｎｃｅ  Ｓｉｇｎａｌ）等）の受信電力を測定するように構成されていてもよい。なお、かかる参照信号の受信電力は、「ＲＳＲＰ（Ｒｅｆｅｒｅｎｃｅ  Ｓｉｇｎａｌ  Ｒｅｃｅｉｖｅｄ  Ｐｏｗｅｒ）」と呼ばれてもよい。
【００４９】
また、測定部１３は、上述の（式２）及び（式３）によって算出された値を、移動局ＵＥのサービングセル及び周辺セルからの信号の受信電力Ｆｎの測定値としてもよい。例えば、物理レイヤにおける測定間隔は、２００ｍｓである。
【００５０】
ここで、移動局ＵＥが、間欠受信状態である場合、測定部１３は、所定条件が満たされている場合（判定部１４によって所定条件が満たされていると通知された場合）には、受信区間が終了した後も、上述の測定を継続するように構成されていてもよい。
【００５１】
また、測定部１３は、所定条件が満たされている場合（判定部１４によって所定条件が満たされていると通知された場合）に、受信区間が終了した後も、上述の測定を継続し、判定部１４によって測定結果を送信すべきであると判定される前に（すなわち、所定期間が経過する前に）、所定条件が満たされなくなった場合（判定部１４によって所定条件が満たされていないと通知された場合）には、かかる測定を停止するように構成されていてもよい。
【００５２】
また、図３に示すように、測定部１３は、上述の測定を継続する際は、間欠受信状態における受信区間においてのみ測定を実施し、また、測定結果を通知すべきか否かについて判定するタイミングにおいては、受信区間に関わらず測定を実施するように構成されていてもよい。
【００５３】
また、図４に示すように、測定部１３は、上述の測定を継続する際は、非間欠受信状態の場合と同様に、測定を実施するように構成されていてもよい。
【００５４】
判定部１４は、上述の測定部１３による測定結果を通知すべきか否かについて、すなわち、上述の測定部１３による測定結果を含む測定報告（Ｍｅａｓｕｒｅｍｅｎｔ  Ｒｅｐｏｒｔ）を送信するか否かについて判定するように構成されている。
【００５５】
例えば、判定部１４は、所定期間以上継続して所定条件が満たされている場合に、上述の測定結果を通知すべきであると判定するように構成されていてもよい。ここで、判定部１４は、かかる所定条件を、上述の（式１）の条件としてもよい。
【００５６】
また、移動局ＵＥが、測定部１３によって測定されたサービングセル及び周辺セルにおける無線品質（測定部１３による測定結果）、及び、パラメータ取得部１２によって取得された判定用パラメータに基づいて、測定部１３による測定結果を通知すべきか否かについて判定するように構成されている。
【００５７】
さらに、判定部１４は、測定部１３による測定結果に基づいて、所定条件を満たしているか否かについて、測定部１３に通知するように構成されていてもよい。
【００５８】
なお、上述の判定用パラメータには、上述の所定期間を示す第１パラメータ（「ＴＴＴ」）や、上述の所定条件を規定する第２パラメータ（「ヒステリシス」や「ｋ（フィルタ係数）」）等が含まれている。
【００５９】
ここで、上述の判定用パラメータの第１パラメータや第２パラメータ（「ＴＴＴ」や「ヒステリシス」や「ｋ（フィルタ係数）」）の一例を示す。
【００６０】
【表１】
2010050579.tif 000003
【００６１】
かかる例からも分かるように、本実施形態に係る移動通信システムでは、移動局ＵＥは、間欠受信状態であっても、所定条件が満たされている場合には、移動局ＵＥのサービングセル及び周辺セルにおける無線品質の測定を継続し、所定条件が満たされていない場合や、所定期間経過前に所定条件が満たさなくなった場合には、かかる測定を停止するように構成されている。
【００６２】
例えば、かかる判定用パラメータの第１パラメータ（「ＴＴＴ」）の値を「６４０［ｍｓ］」に設定し、「ＤＲＸ周期」を「１２８０［ｍｓ］」に設定した場合について、間欠受信状態である移動局ＵＥが、所定条件が満たされている場合に、移動局ＵＥのサービングセル及び周辺セルにおける無線品質の測定を継続することの効果について説明する。
【００６３】
移動局ＵＥが間欠受信状態である場合には、移動局ＵＥが非間欠受信状態である場合と比べて、間欠受信制御の受信区間でのみ測定を実施するため、上述の無線品質の測定頻度が少なくなり、その分、測定報告を送信するか否かについての判定に必要な十分なサンプル数を得るために、上述の判定に要する時間が長くなる。
【００６４】
したがって、上述したように、移動局ＵＥが、間欠受信状態である場合であっても、ある受信区間において、所定条件が満たされている場合には、第１パラメータの値（６４０［ｍｓ］）の間は、上述の測定を継続することで、適切な判定を行うことが可能となる。
【００６５】
また、移動局ＵＥは、所定条件が満たされている場合のみ、第１パラメータの値（６４０［ｍｓ］）の間、上述の測定を継続することにより、消費電力の増加を最低限に抑えることが可能となる。
【００６６】
なお、所定条件が満たされているか否かについての判定は、判定用パラメータに基づいて行われてもよいし、別のパラメータに基づいて行われてもよい。
【００６７】
すなわち、間欠受信状態用パラメータにおけるヒステリシスの値は、非間欠受信状態用パラメータにおけるヒステリシスの値よりも小さくなるように構成されていてもよい。或いは、間欠受信状態用パラメータにおけるフィルタ係数の値は、非間欠受信状態用パラメータにおけるフィルタ係数の値よりも小さくなるように構成されていてもよい。
【００６８】
なお、上述した間欠受信状態用パラメータにおける第１パラメータ及び非間欠受信状態用パラメータにおける第１パラメータの大小関係は、一例であり、逆であってもよいし、両者が、同じ値であってもよい。
【００６９】
また、上述した間欠受信状態用パラメータにおける第２パラメータと非間欠受信状態用パラメータにおける第２パラメータの大小関係は、一例であり、逆であってもよいし、両者が、同じ値であってもよい。
【００７０】
例えば、間欠受信状態用パラメータにおけるヒステリシス（３ｄＢ）は、非間欠受信状態用パラメータにおけるヒステリシス（３ｄＢ）と同じ値になるように構成されてもよい。
【００７１】
或いは、間欠受信状態用パラメータにおけるフィルタ係数（４）は、非間欠受信状態用パラメータにおけるフィルタ係数（８）よりも小さくなるように構成されてもよい。
【００７２】
間欠受信状態においては、非間欠受信状態に比べて測定頻度が少なくなるため、前記フィルタ係数に基づいた平均化が過剰になる場合がある。この場合、間欠受信状態用パラメータにおけるフィルタ係数（４）を、非間欠受信状態用パラメータにおけるフィルタ係数（８）よりも小さくすることにより、１回の測定における平均化の影響を低減することにより、間欠受信状態において、より適切な測定を行うことが可能となる。
【００７３】
ここで、移動局ＵＥが、間欠受信状態である場合に、判定部１４は、測定部１３によって測定されたサービングセル及び周辺セルにおける無線品質、及び、パラメータ取得部１２によって取得された判定用パラメータに基づいて、上述の測定結果を通知すべきか否かについて判定するように構成されている。
【００７４】
一方、移動局ＵＥが、間欠受信状態でない場合も、判定部１４は、測定部１３によって測定されたサービングセル及び周辺セルにおける無線品質、及び、パラメータ取得部１２によって取得された判定用パラメータに基づいて、上述の測定結果を通知すべきか否かについて判定するように構成されている。
【００７５】
通知部１５は、判定部１４によって測定結果を送信すべきであると判定された場合、かかる測定結果を無線基地局ｅＮＢに対して通知するように構成されている。
【００７６】
具体的には、通知部１５は、物理上り共有チャネルＰＵＳＣＨを介して、かかる測定結果を無線基地局ｅＮＢに対して通知するように構成されている。かかる測定結果は、「Ｍｅａｓｕｒｅｍｅｎｔ  Ｒｅｐｏｒｔ」と呼ばれてもよい。
【００７７】
図５に示すように、無線基地局ｅＮＢは、パラメータ通知部２１と、判定部２２とを具備している。
【００７８】
パラメータ通知部２１は、移動局ＵＥに対して、上述の判定用パラメータを通知するように構成されている。
【００７９】
具体的には、パラメータ通知部２１は、物理下り共有チャネルＰＤＳＣＨを介して、移動局ＵＥに対して、上述の判定用パラメータを通知するように構成されている。
【００８０】
なお、上述の判定用パラメータは、報知情報として移動局ＵＥに対して通知されてもよいし、個別の制御情報である「ＲＲＣ  Ｍｅｓｓａｇｅ」として、移動局ＵＥに対して通知されてもよい。
【００８１】
判定部２２は、移動局ＵＥによって通知された当該移動局ＵＥのサービングセル及び周辺セルにおける無線品質の測定結果に基づいて、当該移動局ＵＥがハンドオーバすべきであるか否かについて判定するように構成されている。
【００８２】
（本発明の第１の実施形態に係る移動通信システムの動作）
図６を参照して、本発明の第１の実施形態に係る移動通信システムの動作について、具体的には、本発明の第１の実施形態に係る移動局ＵＥが上述の測定結果を通知する動作について説明する。
【００８３】
図６に示すように、ステップＳ１０１において、移動局ＵＥは、間欠受信状態であるか否かについて判定する。
【００８４】
間欠受信状態であると判定された場合、ステップＳ１０２において、移動局ＵＥは、サービングセル及び周辺セルの無線品質を測定する。
【００８５】
ステップＳ１０３において、移動局ＵＥは、判定用パラメータ（第２パラメータ）及び測定したサービングセル及び周辺セルの無線品質に基づいて、所定条件が満たされているか否かについて判定する。
【００８６】
所定条件が満たされていると判定された場合、移動局ＵＥは、上述の測定を継続する。
【００８７】
ステップＳ１０５において、移動局ＵＥは、判定用パラメータ（第１パラメータ「ＴＴＴ」）を用いて、上述の測定結果について無線基地局ｅＮＢに対して通知すべきか否かについて判定する。
【００８８】
例えば、移動局ＵＥは、「０.６４［ｓ］」の間、継続して、下記（式４）乃至（式６）が満たされていると判定する場合、上述の測定結果について無線基地局ｅＮＢに対して通知すべきであると判定する。
【００８９】
隣接セルからの信号の受信電力Ｆｎ  ＋  ３［ｄＢ］  ＞  サービングセルからの信号の受信電力  …  （式４）
Ｆｎ  ＝  （１−ａ）・Ｆｎ−１  ＋  ａ・Ｍｎ  …  （式５）
ａ  ＝  １／２  …  （式６）
ここで、判定用パラメータ（第１パラメータ及び第２パラメータ）の値は、表１に記載されている値であるものとする。
【００９０】
間欠受信状態でないと判定された場合、ステップＳ１０７において、移動局ＵＥは、サービングセル及び周辺セルの無線品質を測定する。
【００９１】
ステップＳ１０８において、移動局ＵＥは、判定用パラメータ（第１パラメータ及び第２パラメータ）及び測定したサービングセル及び周辺セルの無線品質に基づいて、上述の測定結果について無線基地局ｅＮＢに対して通知すべきか否かについて判定する。
【００９２】
例えば、移動局ＵＥは、「０.６４［ｓ］」の間、継続して、下記（式７）乃至（式９）が満たされていると判定する場合、上述の測定結果について無線基地局ｅＮＢに対して通知すべきであると判定する。
【００９３】
隣接セルからの信号の受信電力Ｆｎ  ＋  ３［ｄＢ］  ＞  サービングセルからの信号の受信電力  …  （式７）
Ｆｎ  ＝  （１−ａ）・Ｆｎ−１  ＋  ａ・Ｍｎ  …  （式８）
ａ  ＝  １／２  …  （式９）
ここで、判定用パラメータ（第1パラメータ及び第２パラメータ）の値は、表１に記載されている値であるものとする。
【００９４】
なお、上述した第１の実施形態においては、間欠受信状態及び非間欠受信状態の２種類の状態が存在したが、代わりに、長間欠受信状態、短間欠受信状態及び非間欠受信状態の３種類の状態が存在する場合にも、本発明に係る移動局、及び移動通信方法は適用されることができる。
【００９５】
例えば、長間欠受信状態、短間欠受信状態及び非間欠受信状態の３種類の状態が存在する場合には、移動局ＵＥが長間欠受信状態である場合にのみ、本発明が適用され、移動局ＵＥは、短間欠受信状態である場合には、従来技術と同様に、受信区間においてのみ上述の測定を行ってもよい。
【００９６】
また、上述した第１の実施形態においては、サービングセル及び周辺セルにおける無線品質として、参照信号の受信電力（ＲＳＲＰ）が用いられたが、代わりに、ＲＳＲＱやＲＳ-ＳＩＲやＣＱＩが用いられてもよい。或いは、サービングセル及び周辺セルにおける無線品質として、ＲＳＲＰやＲＳＲＱやＲＳ-ＳＩＲやＣＱＩの少なくとも１つが用いられてもよい。
【００９７】
なお、ＲＳＲＱ（Ｒｅｆｅｒｅｎｃｅ  Ｓｉｇｎａｌ  Ｒｅｃｅｉｖｅｄ  ＱｕａｌｉｔｙＰｏｗｅｒ）とは、下りリンクの参照信号の受信電力を、下りリンクのＲＳＳＩ（Ｒｅｃｅｉｖｅｄ  Ｓｉｇｎａｌ  Ｓｔｒｅｎｇｔｈ  Ｉｎｄｉｃａｔｏｒ）で割った値である。
【００９８】
ここで、ＲＳＳＩとは、移動局において観測されるトータルの受信レベルであり、熱雑音や他セルからの干渉電力や自セルからの希望信号の電力等の全てを含んだ受信レベルのことである（ＲＳＲＱの定義については、３ＧＰＰ  ＴＳ３６.２１４、Ｖ８.３.０を参照のこと）。
【００９９】
また、ＲＳ-ＳＩＲとは、下りリンクの参照信号のＳＩＲ（Ｓｉｇｎａｌ-ｔｏ-Ｉｎｔｅｒｆｅｒｅｎｃｅ  Ｒａｔｉｏ）である。
【０１００】
また、ＣＱＩ（Ｃｈａｎｎｅｌ  Ｑｕａｌｉｔｙ  Ｉｎｄｉｃａｔｏｒ）とは、下りリンクの無線品質情報である（ＣＱＩの定義については、３ＧＰＰ  ＴＳ３６.２１３、Ｖ８.３.０を参照のこと）。
【０１０１】
また、上述した第１の実施形態においては、移動局ＵＥは、「ＴＴＴ」、「ヒステリシス」及び「フィルタ係数」を用いて、上述の測定を継続するか否かについての判定を行っているが、代わりに、「ＴＴＴ」、「ヒステリシス」及び「フィルタ係数」の一部を用いて、かかる判定を行ってもよい。
【０１０２】
例えば、移動局ＵＥは、「ＴＴＴ」、「ヒステリシス」及び「フィルタ係数」のうち、「ＴＴＴ」及び「フィルタ係数」のみを用いて、上述の判定を行ってもよい。
【０１０３】
（本発明の第１の実施形態に係る移動通信システムの作用・効果）
本発明の第１の実施形態に係る移動通信システムによれば、移動局ＵＥが、間欠受信状態である場合であっても、所定条件が満たされている場合には、測定部１３が、受信区間が終了した後も、判定用パラメータを用いて、移動局ＵＥのサービングセル及び周辺セルにおける無線品質の測定を継続することができ、また、所定条件を満たさなくなった場合には、かかる測定を停止し、移動局ＵＥは、間欠受信状態に戻るため、移動局ＵＥが、適切なタイミングでネットワークに対して測定結果を報告し、通信断を起こすことなく通信を継続することができ、ネットワークにおける負荷や移動局ＵＥの消費電流の抑制、更にはユーザ利便性を向上することができる。
【０１０４】
（本発明の変更例１に係る移動通信システムの構成）
本変更例１に係る移動通信システムの構成は、測定部１３及び判定部１４を除いて、本発明の第１の実施形態に係る移動通信システムと同一であるため、測定部１３及び判定部１４のみに関してのみ説明を行い、それ以外の説明は省略する。
【０１０５】
測定部１３は、移動局ＵＥのサービングセル及び周辺セルにおける無線品質を測定するように構成されている。
【０１０６】
例えば、測定部１３は、移動局ＵＥのサービングセル及び周辺セルにおける無線品質として、移動局ＵＥのサービングセル及び周辺セルからの信号（例えば、参照信号（ＲＳ：Ｒｅｆｅｒｅｎｃｅ  Ｓｉｇｎａｌ）等）の受信電力を測定するように構成されていてもよい。なお、かかる参照信号の受信電力は、「ＲＳＲＰ（Ｒｅｆｅｒｅｎｃｅ  Ｓｉｇｎａｌ  Ｒｅｃｅｉｖｅｄ  Ｐｏｗｅｒ）」と呼ばれてもよい。
【０１０７】
また、測定部１３は、上述の（式２）及び（式３）によって算出された値を、移動局ＵＥのサービングセル及び周辺セルからの信号の受信電力Ｆｎの測定値としてもよい。例えば、物理レイヤにおける測定間隔は、２００ｍｓである。
【０１０８】
ここで、移動局ＵＥが、間欠受信状態である場合、測定部１３は、かかる間欠受信状態における受信区間においてのみ、上述の測定を行うように構成されていてもよい。
【０１０９】
判定部１４は、上述の測定部１３による測定結果を通知すべきか否かについて、すなわち、上述の測定部１３による測定結果を含む測定報告（Ｍｅａｓｕｒｅｍｅｎｔ  Ｒｅｐｏｒｔ）を送信するか否かについて判定するように構成されている。
【０１１０】
例えば、判定部１４は、所定期間以上継続して所定条件が満たされている場合に、上述の測定結果を通知すべきであると判定するように構成されていてもよい。ここで、判定部１４は、かかる所定条件を、上述の（式１）の条件としてもよい。
【０１１１】
また、移動局ＵＥが、間欠受信状態である場合に、判定部１４は、かかる間欠受信状態における「ＤＲＸ周期」、及び、パラメータ取得部１２によって取得された判定用パラメータに基づいて、測定部１３による測定結果を通知すべきか否かについて判定するように構成されている。
【０１１２】
例えば、判定部１４は、「ＤＲＸ周期」、上述の所定期間を示す第１パラメータ（「ＴＴＴ」）及び所定条件を規定する第２パラメータ（「ヒステリシス」）に基づいて、図７に示すように、測定部１３による測定結果が所定条件を満たしてから、所定期間（「ＴＴＴ」）が経過する前の最後の受信区間（つまり、かかる受信区間の次の受信区間は、所定期間（「ＴＴＴ」）が経過した後である）までの間、前記所定条件を満たすという状態が継続するか否かに基づいて、測定結果を通知するか否かを判定するように構成されていてもよい。
【０１１３】
すなわち、図７においては、間欠受信状態の受信区間Ｒ１における測定結果が、判定用パラメータ（第２パラメータ「ヒステリシス」）を用いて、所定条件を満たしていると判定された時点から「ＴＴＴ」経過する前の最後の受信区間Ｒ４までの間、前記所定条件を満たし続けるか否かに基づいて、無線基地局ｅＮＢに対して測定結果を通知すべきか否かについて判定される。
【０１１４】
言い換えれば、判定部１４は、Ｎ個の連続する受信区間において、所定条件が満たされている場合に、測定結果を通知すると判定し、上記以外の場合に、測定結果を通知しないと判定してもよい。
【０１１５】
ここで、「Ｎ」は、以下のように算出されてもよい。
【０１１６】
Ｎ＝ｆｌｏｏｒ（ＴＴＴ/ＤＲＸ周期）
なお、ｆｌｏｏｒ（ｘ）は、「ｘ」を「ｘ」以下の整数値に丸め込む関数である。
【０１１７】
より具体的には、「ＴＴＴ」の値が「６４０ｍｓ」であり、「ＤＲＸ周期」が「１５０ｍｓ」である場合に、判定部１４は、「ｆｌｏｏｒ（６４０/１５０）＝４」に基づいて、４個の連続する受信区間において、所定条件が満たされている場合に、測定結果を通知すると判定し、上記以外の場合に、測定結果を通知しないと判定してもよい。
【０１１８】
なお判定部１４において、上述した判定が行われている間、測定部１３においては、上述したように、間欠受信制御の受信区間においてのみ測定が実施される。
【０１１９】
なお、上述の判定用パラメータには、上述の所定期間を示す第１パラメータ（「ＴＴＴ」）や、上述の所定条件を規定する第２パラメータ（「ヒステリシス」や「ｋ（フィルタ係数）」）等が含まれている。
【０１２０】
ここで、上述の判定用パラメータの第１パラメータや第２パラメータ（「ＴＴＴ」や「ヒステリシス」や「ｋ（フィルタ係数）」）の一例を示す。
【０１２１】
【表２】
2010050579.tif 000004
【０１２２】
かかる例からも分かるように、本実施形態に係る移動通信システムでは、移動局ＵＥは、間欠受信状態において、受信区間においてのみ測定を実施する場合でも、測定結果に基づいて所定条件が満たされるか否かについて判定し、遅滞なく（ここでは、所定期間を示す第１パラメータ（「ＴＴＴ」）以内に）、かかる測定結果を含む測定報告を送信するか否かについて判定するように構成されている。
【０１２３】
（本発明の変更例１に係る移動通信システムの動作）
図８を参照して、本変更例１に係る移動通信システムの動作について、具体的には、本変更例１に係る移動局ＵＥが、上述の測定結果を通知するか否かを判定する動作について説明する。
【０１２４】
図８に示すように、ステップＳ８０１において、移動局ＵＥは、間欠受信状態であるか否かについて判定する。
【０１２５】
間欠受信状態であると判定された場合（ステップＳ８０１：ＹＥＳ）、ステップＳ８０２において、移動局ＵＥは、サービングセル及び周辺セルの無線品質を測定する。
【０１２６】
ステップＳ８０３において、移動局ＵＥは、ＤＲＸ周期及び判定用パラメータ（第１パラメータ及び第２パラメータ）及び測定したサービングセル及び周辺セルの無線品質に基づいて、連続するＮ個の受信区間において、所定条件が満たされているか否かについて判定する。ここで、「Ｎ」の値は、以下のように算出される。
【０１２７】
Ｎ＝ｆｌｏｏｒ（ＴＴＴ/ＤＲＸ周期）
例えば、移動局ＵＥは、前記Ｎ個の受信区間の間、継続して、下記（式４）乃至（式６）が満たされていると判定する場合、上述の測定結果について無線基地局ｅＮＢに対して通知すべきであると判定する。
【０１２８】
隣接セルからの信号の受信電力Ｆｎ  ＋  ３［ｄＢ］  ＞  サービングセルからの信号の受信電力  …  （式４）
Ｆｎ  ＝  （１−ａ）・Ｆｎ−１  ＋  ａ・Ｍｎ  …  （式５）
ａ  ＝  １／２  …  （式６）
ここで、判定用パラメータ（第１パラメータ及び第２パラメータ）の値は、表１に記載されている値であるものとする。
【０１２９】
そして、連続するＮ個の受信区間において、所定条件が満たされていると判定された場合（ステップＳ８０３：ＹＥＳ）、ステップＳ８０４において、移動局ＵＥは、前記測定結果を無線基地局ｅＮＢに対して通知すると決定し、前記測定結果を無線基地局ｅＮＢに対して通知する。
【０１３０】
一方、連続するＮ個の受信区間において、所定条件が満たされていると判定されなかった場合（ステップＳ８０３：ＮＯ）、ステップＳ８０５において、移動局ＵＥは、前記測定結果を無線基地局ｅＮＢに対して通知しないと判定し、前記測定結果を無線基地局ｅＮＢに対して通知しない。
【０１３１】
間欠受信状態でないと判定された場合（ステップＳ８０１：ＮＯ）、ステップＳ８０６において、移動局ＵＥは、サービングセル及び周辺セルの無線品質を測定する。
【０１３２】
ステップＳ８０７において、移動局ＵＥは、判定用パラメータ（第１パラメータ及び第２パラメータ）及び測定したサービングセル及び周辺セルの無線品質に基づいて、上述の測定結果について無線基地局ｅＮＢに対して通知すべきか否かについて判定する。
【０１３３】
例えば、移動局ＵＥは、「０.６４［ｓ］」の間、継続して、下記（式７）乃至（式９）が満たされていると判定する場合、上述の測定結果について無線基地局ｅＮＢに対して通知すべきであると判定する。
【０１３４】
隣接セルからの信号の受信電力Ｆｎ  ＋  ３［ｄＢ］  ＞  サービングセルからの信号の受信電力  …  （式７）
Ｆｎ  ＝  （１−ａ）・Ｆｎ−１  ＋  ａ・Ｍｎ  …  （式８）
ａ  ＝  １／２  …  （式９）
ここで、判定用パラメータ（第1パラメータ及び第２パラメータ）の値は、表１に記載されている値であるものとする。
【０１３５】
上述の測定結果について無線基地局ｅＮＢに対して通知すべきであると判定された場合（ステップＳ８０７：ＹＥＳ）、ステップＳ８０８において、移動局ＵＥは、前記測定結果を無線基地局ｅＮＢに対して通知する。
【０１３６】
一方、上述の測定結果について無線基地局ｅＮＢに対して通知すべきであると判定されなかった場合（ステップＳ８０７：ＮＯ）、ステップＳ８０９において、移動局ＵＥは、前記測定結果を無線基地局ｅＮＢに対して通知しない。
【０１３７】
（本発明の第２の実施形態に係る移動通信システムの作用・効果）
本発明の第２の実施形態に係る移動通信システムによれば、移動局ＵＥが、間欠受信状態である場合であり、受信期間においてのみ測定を実施する場合であっても、測定結果に基づいて所定条件が満たされるか否かについて判定し、遅滞なく、かかる測定結果を含む測定報告を送信するか否かについて判定することができ、移動局ＵＥが、適切なタイミングでネットワークに対して測定結果を報告し、通信断を起こすことなく通信を継続することができ、ネットワークにおける負荷や移動局ＵＥの消費電流の抑制、更にはユーザ利便性を向上することができる。
【０１３８】
（本発明の変更例２に係る移動通信システム）
本変更例２に係る移動通信システムは、判定部１４による「Ｎ」の算出方法を除いて、上述の本変更例１に係る移動通信システムと同一であるため、それ以外についての説明は省略する。
【０１３９】
本変更例２に係る移動通信システムでは、判定部１４は、以下のように「Ｎ」を算出するように構成されている。
【０１４０】
Ｎ＝ｃｅｉｌｉｎｇ（ＴＴＴ/ＤＲＸ周期）
なお、ｃｅｉｌｉｎｇ（ｘ）は、「ｘ」を「ｘ」以上の整数値に丸め込む関数である。
【０１４１】
ここで、図９に示すように、判定部１４は、「Ｎ＝ｃｅｉｌｉｎｇ（ＴＴＴ/ＤＲＸ周期）」に基づいて、Ｎ個の連続する受信区間（例えば、Ｒ１乃至Ｒ５）において、所定条件が満たされている場合に、測定結果を通知すると判定し、上記以外の場合に、測定結果を通知しないと判定してもよい。
【０１４２】
例えば、「ＴＴＴ」の値が「６４０ｍｓ」であり、「ＤＲＸ周期」が「１５０ｍｓ」である場合に、判定部１４は、「ｃｅｉｌｉｎｇ（６４０/１５０）＝５」に基づいて、５個の連続する受信区間において、所定条件が満たされている場合に、測定結果を通知すると判定し、上記以外の場合に、測定結果を通知しないと判定してもよい。
【０１４３】
（本発明の変更例３に係る移動通信システム）
本変更例３に係る移動通信システムは、判定部１４による「Ｎ」の算出方法を除いて、上述の本変更例１に係る移動通信システムと同一であるため、それ以外についての説明は省略する。
【０１４４】
本変更例３に係る移動通信システムでは、判定部１４は、以下のように「Ｎ」を算出するように構成されている。
【０１４５】
Ｎ＝ｒｏｕｎｄ（ＴＴＴ/ＤＲＸ周期）
なお、ｒｏｕｎｄ（ｘ）は、「ｘ」を四捨五入し、整数値に丸め込む関数である。
【０１４６】
ここで、図１０に示すように、判定部１４は、「Ｎ＝ｒｏｕｎｄ（ＴＴＴ/ＤＲＸ周期）」に基づいて、Ｎ個の連続する受信区間（例えば、Ｒ１乃至Ｒ４（又は、Ｒ５））において、所定条件が満たされている場合に、測定結果を通知すると判定し、上記以外の場合に、測定結果を通知しないと判定してもよい。
【０１４７】
例えば、「ＴＴＴ」の値が「６４０ｍｓ」であり、「ＤＲＸ周期」が「１５０ｍｓ」である場合に、判定部１４は、「ｒｏｕｎｄ（６４０/１５０）＝４」に基づいて、４個の連続する受信区間において、所定条件が満たされている場合に、測定結果を通知すると判定し、上記以外の場合に、測定結果を通知しないと判定してもよい。
【０１４８】
（変更例４）
なお、上述の移動局ＵＥの動作は、ハードウェアによって実施されてもよいし、プロセッサによって実行されるソフトウェアモジュールによって実施されてもよいし、両者の組み合わせによって実施されてもよい。
【０１４９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１５０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ内に設けられていてもよい。また、かかる記憶媒体及びプロセッサは、ディスクリートコンポーネントとして移動局ＵＥ内に設けられていてもよい。
【０１５１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１５２】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を説明するための図である。
【図４】本発明の第１の実施形態に係る移動局の動作を説明するための図である。
【図５】本発明の第１の実施形態に係る無線基地局の機能ブロック図である。
【図６】本発明の第１の実施形態に係る移動局の動作を示すフローチャートである。
【図７】本発明の変更例１に係る移動局の動作を説明するための図である。
【図８】本発明の変更例１に係る移動局の動作を示すフローチャートである。
【図９】本発明の変更例２に係る移動局の動作を説明するための図である。
【図１０】本発明の変更例３に係る移動局の動作を説明するための図である。
【図１１】一般的なハンドオーバの動作を示すフローチャートである。
【図１２】一般的な測定報告の通知方法について説明するための図である。
【図１３】一般的な間欠受信状態の移動局の動作を説明するための図である。
【符号の説明】
【０１５３】
ＵＥ…移動局
１１…状態管理部
１２…パラメータ取得部
１３…測定部
１４、２２…判定部
１５…通知部
ｅＮＢ…無線基地局
２１…パラメータ通知部
【図１】
2010050579.tif 000005
【図２】
2010050579.tif 000006
【図３】
2010050579.tif 000007
【図４】
2010050579.tif 000008
【図５】
2010050579.tif 000009
【図６】
2010050579.tif 000010
【図７】
2010050579.tif 000011
【図８】
2010050579.tif 000012
【図９】
2010050579.tif 000013
【図１０】
2010050579.tif 000014
【図１１】
2010050579.tif 000015
【図１２】
2010050579.tif 000016
【図１３】
2010050579.tif 000017